(57)【要約】【課題】半導体レーザの実装数を増やすことができ、光軸の揃ったレーザ光を出射することができる波長多重通信モジュールを得る。【解決手段】階段状のブロック１は、高さが異なる平面１ａ，１ｂを有する。半導体レーザ２ａ〜２ｄが平面１ａに設置されている。半導体レーザ２ｅ〜２ｈが平面１ｂに設置されている。コリメータレンズ３ａ〜３ｄが半導体レーザ２ａ〜２ｄから出射されたレーザ光をそれぞれコリメート光にする。コリメータレンズ３ｅ〜３ｈが半導体レーザ２ｅ〜２ｈから出射されたレーザ光をそれぞれコリメート光にする。光合波器４ａがコリメータレンズ３ａ〜３ｄから出射された複数のコリメート光を合波する。光合波器４ｂがコリメータレンズ３ｅ〜３ｈから出射された複数のコリメート光を合波する。ミラー５が光合波器４ａ，４ｂから出射された光を１つにまとめて出射する。【選択図】図１
2019186341.tif 000002
【特許請求の範囲】
【請求項１】
高さが異なる第１及び第２の平面を有する階段状のブロックと、
前記第１の平面に設置された複数の第１の半導体レーザと、
前記第２の平面に設置された複数の第２の半導体レーザと、
前記複数の第１の半導体レーザから出射されたレーザ光をそれぞれコリメート光にする複数の第１のコリメータレンズと、
前記複数の第２の半導体レーザから出射されたレーザ光をそれぞれコリメート光にする複数の第２のコリメータレンズと、
前記複数の第１のコリメータレンズから出射された複数のコリメート光を合波する第１の光合波器と、
前記複数の第２のコリメータレンズから出射された複数のコリメート光を合波する第２の光合波器と、
前記第１及び第２の光合波器から出射された光を１つにまとめて出射するミラーとを備えることを特徴とする波長多重通信モジュール。
【請求項２】
前記複数の第１の半導体レーザと前記複数の第２の半導体レーザが千鳥配置されていることを特徴とする請求項１に記載の波長多重通信モジュール。
【請求項３】
前記第２の平面において前記複数の第２の半導体レーザと前記複数の第１のコリメータレンズが互い違いに配置されていることを特徴とする請求項２に記載の波長多重通信モジュール。
【請求項４】
前記第１及び第２の光合波器が前記ブロックに設置されていることを特徴とする請求項１〜３の何れか１項に記載の波長多重通信モジュール。
【発明の詳細な説明】
【技術分野】
【０００１】
本発明は、波長多重通信モジュールに関する。
【背景技術】
【０００２】
従来の波長多重通信モジュールでは複数の半導体レーザを水平方向に一列に実装していた。これまで以上の大容量の信号を伝送するためには更に多くの半導体レーザを実装する必要がある。しかし、光通信用途の標準規格のパッケージに実装するので水平方向のサイズは決まっている。一方、パッケージ内の高さ方向のスペースには余裕がある。そこで、半導体レーザの実装数を増やすために、複数の半導体レーザを階段状に実装したレーザ装置が提案されている（例えば、特許文献１参照）。
【先行技術文献】
【特許文献】
【０００３】
【特許文献１】特開２００４−１７９６０７号公報
【発明の概要】
【発明が解決しようとする課題】
【０００４】
従来のレーザ装置では、階段状に実装した複数の半導体レーザのレーザ光を集光レンズにより光ファイバに集光していた。このため、レーザ光の光軸が揃っておらず、光ファイバへの結合効率が悪いという問題があった。
【０００５】
本発明は、上述のような課題を解決するためになされたもので、その目的は半導体レーザの実装数を増やすことができ、光軸の揃ったレーザ光を出射することができる波長多重通信モジュールを得るものである。
【課題を解決するための手段】
【０００６】
本発明に係る波長多重通信モジュールは、高さが異なる第１及び第２の平面を有する階段状のブロックと、前記第１の平面に設置された複数の第１の半導体レーザと、前記第２の平面に設置された複数の第２の半導体レーザと、前記複数の第１の半導体レーザから出射されたレーザ光をそれぞれコリメート光にする複数の第１のコリメータレンズと、前記複数の第２の半導体レーザから出射されたレーザ光をそれぞれコリメート光にする複数の第２のコリメータレンズと、前記複数の第１のコリメータレンズから出射された複数のコリメート光を合波する第１の光合波器と、前記複数の第２のコリメータレンズから出射された複数のコリメート光を合波する第２の光合波器と、前記第１及び第２の光合波器から出射された光を１つにまとめて出射するミラーとを備えることを特徴とする。
【発明の効果】
【０００７】
本発明では階段状のブロックを用いることで半導体レーザの実装数を増やすことができる。また、各段の半導体レーザのレーザ光をそれぞれ第１及び第２の光合波器で合波し、それらの出射光をミラーで１つにまとめることで光軸の揃ったレーザ光を出射することができる。
【図面の簡単な説明】
【０００８】
【図１】実施の形態に係る波長多重通信モジュールを示す平面図である。
【図２】実施の形態に係る波長多重通信モジュールを示す側面図である。
【発明を実施するための形態】
【０００９】
図１は、実施の形態に係る波長多重通信モジュールを示す平面図である。図２は、実施の形態に係る波長多重通信モジュールを示す側面図である。本実施の形態では８波長のレーザ光の多重化を１台のモジュールで実現する。
【００１０】
階段状のブロック１は、高さが異なる平面１ａ，１ｂを有する。半導体レーザ２ａ〜２ｄが平面１ａに設置されている。半導体レーザ２ｅ〜２ｈが平面１ｂに設置されている。コリメータレンズ３ａ〜３ｄが半導体レーザ２ａ〜２ｄから出射されたレーザ光をそれぞれコリメート光にする。コリメータレンズ３ｅ〜３ｈが半導体レーザ２ｅ〜２ｈから出射されたレーザ光をそれぞれコリメート光にする。光合波器４ａがコリメータレンズ３ａ〜３ｄから出射された複数のコリメート光を合波する。光合波器４ｂがコリメータレンズ３ｅ〜３ｈから出射された複数のコリメート光を合波する。ミラー５が光合波器４ａ，４ｂから出射された光を１つにまとめて出射する。
【００１１】
光合波器４ａは、コリメータレンズ３ａ〜３ｄから出射された複数のコリメート光を合波する平面光回路（ＰＬＣ）である。同様に、光合波器４ｂは、コリメータレンズ３ｅ〜３ｈから出射された複数のコリメート光を合波する平面光回路である。光合波器４ａ，４ｂは互いに垂直方向に積層されている。
【００１２】
また、本実施の形態では４波長合波が２セットであり、ブロック１の段数が２段であるが、これに限らずブロック１は３段以上でもよい。ブロック１の各段に複数の半導体レーザが設置される。そして、半導体レーザとコリメータレンズの組み合わせに応じた数だけ光合波器が積層される。
【００１３】
本実施の形態では階段状のブロック１を用いることで半導体レーザの実装数を増やすことができる。また、各段の半導体レーザ２ａ〜２ｈのレーザ光をそれぞれ光合波器４ａ，４ｂで合波し、それらの出射光をミラー５で１つにまとめることで光軸の揃ったレーザ光を出射することができる。
【００１４】
また、１つの光合波器で多数のレーザ光を合波すると光合波器でのロスが増える。これに対して、本実施の形態では、複数の半導体レーザを２段に実装してそれぞれ２つの光合波器４ａ，４ｂで合波する。これにより各光合波器４ａ，４ｂで合波するレーザ光の数が減るため、ロスを減らすことができる。
【００１５】
また、半導体レーザ２ａ〜２ｄと半導体レーザ２ｅ〜２ｈが千鳥配置されている。これにより、同じ水平方向サイズで半導体レーザの実装数を増やすことができる。また、半導体レーザ２ａ〜２ｈにボンディングするワイヤ６を同一平面上から引き伸ばすことができる。
【００１６】
コリメータレンズをブロック１に実装した際に、両者を接着する接着剤が広がる。この接着剤がコリメータレンズの実装面の面積よりも広がらないようにしなくてはならない。従って、全てのコリメータレンズを横一列に実装するのは難しい。そこで、平面１ｂにおいて半導体レーザ２ｅ〜２ｈとコリメータレンズ３ａ〜３ｄを互い違いに配置している。
【００１７】
また、光合波器４ａ，４ｂがブロック１に設置されていることが好ましい。これにより光合波器４ａ，４ｂをパッケージの外で実装できる。また、ブロック１の下面にペルチェ素子７が設けられている。このペルチェ素子７により半導体レーザ２ａ〜２ｈの駆動温度を制御することができる。なお、ペルチェ素子７は設けなくてもよい。
【符号の説明】
【００１８】
１  ブロック、１ａ，１ｂ  平面、２ａ〜２ｈ  半導体レーザ、３ａ〜３ｈ  コリメータレンズ、４ａ，４ｂ  光合波器、５  ミラー
【図１】
2019186341.tif 000003
【図２】
2019186341.tif 000004